(57)【特許請求の範囲】
【請求項１】
歯槽骨の欠損部位に配置され、歯槽骨が再生される空間を形成させたり、あるいは骨移植材を覆い包んだりする歯科用メンブレンであって、前記歯槽骨に挿入固定される挿入物と、前記挿入物に結合されるカバー部材とによって位置固定される歯科用メンブレンにおいて、
歯槽骨欠損部位上面を覆い包む上側部と、
前記上側部から下側に折り曲げられ、前記歯槽骨欠損部位の側面を覆い包む側面折曲げ部と、
を含んでなるが、
前記上側部は、
前記挿入物と、前記カバー部材とに結合されて位置固定される結合部分と、
前記結合部分から上側に延長突出し、前記カバー部材の側面の少なくとも一部を覆い包んでおり、再生される前記歯槽骨に結合部分の上面よりも上側に突出する歯槽骨突出部の形成を誘導する突出部分と、
を含み、
前記結合部分は、平板状のリング形状となっており、
前記結合部分の上面は、前記カバー部材の下面と接触し、
前記結合部分の下面は、前記挿入物の上面と接触する、
ことを特徴とする歯科用メンブレン。
【請求項２】
前記結合部分は、中央に貫通ホールが形成されたリング形状をなすことを特徴とする請求項１に記載の歯科用メンブレン。
【請求項３】
前記突出部分は、前記カバー部材の外形と対応する形状を有することを特徴とする請求項１に記載の歯科用メンブレン。
【請求項４】
前記突出部分は、前記カバー部材の側面と密着接触することを特徴とする請求項３に記載の歯科用メンブレン。
【請求項５】
前記突出部分は、前記カバー部材の側面から離隔されていることを特徴とする請求項３に記載の歯科用メンブレン。
【請求項６】
前記突出部分の最上端は、前記カバー部材の上面と同じ位置に配置されることを特徴とする請求項１に記載の歯科用メンブレン。
【請求項７】
前記突出部分は、前記結合部分から、０．１ｍｍ〜５ｍｍの範囲に突出していることを特徴とする請求項１に記載の歯科用メンブレン。
【請求項８】
前記突出部分は、円筒状になることを特徴とする請求項１に記載の歯科用メンブレン。
【請求項９】
前記突出部分には、少なくとも１以上の孔が形成されることを特徴とする請求項１に記載の歯科用メンブレン。
【請求項１０】
前記突出部分は、
前記結合部分と連結されて上側に延長される第１延長部と、
前記第１延長部から水平方向に延長される第２延長部と、
を含むことを特徴とする請求項１に記載の歯科用メンブレン。
【請求項１１】
前記側面折曲げ部は、前記上側部の両側に、１対が配置されることを特徴とする請求項１に記載の歯科用メンブレン。
【請求項１２】
歯槽骨の欠損部位に配置され、前記歯槽骨が再生される空間を形成させたり、あるいは骨移植材を覆い包んだりする歯科用メンブレンであって、前記歯槽骨に挿入固定される挿入物と、前記挿入物に結合されるカバー部材とによって位置固定される歯科用メンブレンにおいて、
欠損部位上面を覆い包む上側部と、
前記上側部から水平方向に延長される側面延長部と、
を含み、
前記上側部は、
前記挿入物と、前記カバー部材とに結合されて位置固定される結合部分と、
前記結合部分から上側に延長突出し、前記カバー部材の側面の少なくとも一部を覆い包んでおり、再生される前記歯槽骨に結合部分の上面よりも上側に突出する歯槽骨突出部の形成を誘導する突出部分と、
を含み、
前記結合部分は、平板状のリング形状となっており、
前記結合部分の上面は、前記カバー部材の下面と接触し、
前記結合部分の下面は、前記挿入物の上面と接触する、
ことを特徴とする歯科用メンブレン。
【請求項１３】
前記結合部分は、中央に貫通ホールが形成されたリング形状をなすことを特徴とする請求項１２に記載の歯科用メンブレン。
【請求項１４】
前記突出部分は、前記カバー部材の外形と対応する形状を有することを特徴とする請求項１２に記載の歯科用メンブレン。
【請求項１５】
前記突出部分は、前記カバー部材の側面と密着接触することを特徴とする請求項１４に記載の歯科用メンブレン。
【請求項１６】
前記突出部分は、前記カバー部材の側面から離隔されていることを特徴とする請求項１４に記載の歯科用メンブレン。
【請求項１７】
前記突出部分の最上端は、前記カバー部材の上面と同じ位置に配置されることを特徴とする請求項１２に記載の歯科用メンブレン。
【請求項１８】
前記突出部分は、前記結合部分から、０．１ｍｍ〜５ｍｍの範囲に突出していることを特徴とする請求項１２に記載の歯科用メンブレン。
【請求項１９】
前記突出部分には、少なくとも１以上の孔が形成されることを特徴とする請求項１２に記載の歯科用メンブレン。
【請求項２０】
前記突出部分は、
前記結合部分と連結されて上側に延長される第１延長部と、
前記第１延長部から水平方向に延長される第２延長部と、を含むことを特徴とする請求項１２に記載の歯科用メンブレン。
【請求項２１】
前記側面延長部は、上側部の両側に、１対が配置されることを特徴とする請求項１２に記載の歯科用メンブレン。
【請求項２２】
前記側面延長部は、上側部から下側に折り曲げられることを特徴とする請求項１２に記載の歯科用メンブレン。
【請求項２３】
歯槽骨の欠損部位に配置され、前記歯槽骨が再生される空間を形成させたり、あるいは骨移植材を覆い包んだりする歯科用メンブレンであって、前記歯槽骨に挿入固定されるインプラント用挿入物によって位置固定される歯科用メンブレンにおいて、
骨移植材が充填された歯槽骨欠損部位上面を覆い包む上側部と、
前記上側部から下側に折り曲げられて前記骨移植材が充填された歯槽骨欠損部位の側面を覆い包む側面折曲げ部と、
を含んでなるが、
前記上側部は、
インプラント用挿入物が挿入される部分と対応する部分に配置され、前記インプラント用挿入物が結合される中央ホールが形成されている中央部分と、
前記中央部分の少なくとも一部を取り囲むように配置され、前記中央部分から上側に突出し、再生される前記歯槽骨に凸状に上向き突出したパピラが形成されるように誘導するパピラ形成部分と、
を含み、
前記歯科用メンブレンは、前記歯槽骨に挿入固定される前記インプラント用挿入物と前記インプラント用挿入物に結合されるカバー部材とによって位置固定され、
前記中央部分は、平板状のリング形状となっており、
前記中央部分の上面は、前記カバー部材の下面と接触し、
前記中央部分の下面は、前記インプラント用挿入物の上面と接触する
ことを特徴とする歯科用メンブレン。
【請求項２４】
前記パピラ形成部分は、前記中央部分を取り囲むようにリング状に配置されることを特徴とする請求項２３に記載の歯科用メンブレン。
【請求項２５】
前記パピラ形成部分は、舌側、唇側または隣接した歯側のうちいずれか１部分に局所的に突設されることを特徴とする請求項２３に記載の歯科用メンブレン。
【請求項２６】
前記中央部分から前記パピラ形成部分の最上端までの垂直距離は、０．１〜３ｍｍであることを特徴とする請求項２３に記載の歯科用メンブレン。
【請求項２７】
前記パピラ形成部分は、前記中央ホールから所定距離離隔されていることを特徴とする請求項２３に記載の歯科用メンブレン。
【請求項２８】
前記上側部には、前記側面折曲げ部の延長方向と反対方向に延長され、下側に折り曲げられる上側延長部がさらに含まれることを特徴とする請求項２３に記載の歯科用メンブレン。
【請求項２９】
前記上側部には、両側から延長されて下側に折り曲げられる上側ウィング部がさらに含まれることを特徴とする請求項２３に記載の歯科用メンブレン。
【請求項３０】
前記側面折曲げ部には、両側から延長されて内側に折り曲げられた側面ウィング部がさらに含まれることを特徴とする請求項２３に記載の歯科用メンブレン。
【請求項３１】
前記側面ウィング部には、多数の第５微細孔が形成されることを特徴とする請求項３０に記載の歯科用メンブレン。
【請求項３２】
前記側面折曲げ部の下端には、下側に延長されて内側に折り曲げられる側面延長部がさらに含まれることを特徴とする請求項２３に記載の歯科用メンブレン。
【請求項３３】
歯槽骨の欠損部位に配置され、歯槽骨が再生される空間を形成させたり、あるいは骨移植材を覆い包んだりする歯科用メンブレンであって、前記歯槽骨に挿入固定されるインプラント用挿入物によって位置固定される歯科用メンブレンにおいて、
骨移植材が充填された歯槽骨欠損部位上面を覆い包む上側部と、
前記上側部から水平方向に延長される水平延長部と、
を含んでなるが、
前記上側部は、
前記インプラント用挿入物が挿入される部分と対応する部分に配置され、前記インプラント用挿入物が結合される中央ホールが形成されている中央部分と、
前記中央部分の少なくとも一部を取り囲むように配置され、前記中央部分から上側に突出し、再生される前記歯槽骨に凸状に上向き突出したパピラが形成されるように誘導するパピラ形成部分と、
を含み、
前記歯科用メンブレンは、前記歯槽骨に挿入固定される前記インプラント用挿入物と前記インプラント用挿入物に結合されるカバー部材とによって位置固定され、
前記中央部分は、平板状のリング形状となっており、
前記中央部分の上面は、前記カバー部材の下面と接触し、
前記中央部分の下面は、前記インプラント用挿入物の上面と接触する、
ことを特徴とする歯科用メンブレン。
【請求項３４】
前記パピラ形成部分は、前記中央部分を取り囲むようにリング状に配置されることを特徴とする請求項３３に記載の歯科用メンブレン。
【請求項３５】
前記パピラ形成部分は、舌側、唇側または隣接した歯側のうちいずれか１部分に局所的に突設されることを特徴とする請求項３３に記載の歯科用メンブレン。
【請求項３６】
前記中央部分から前記パピラ形成部分の最上端までの垂直距離は、０．１〜３ｍｍであることを特徴とする請求項３３に記載の歯科用メンブレン。
【請求項３７】
前記パピラ形成部分は、前記中央ホールから所定距離離隔されていることを特徴とする請求項３３に記載の歯科用メンブレン。
【請求項３８】
前記水平延長部は、再生されなければならない前記歯槽骨の形状に合うように、曲面状にフォーミングされることを特徴とする請求項３３に記載の歯科用メンブレン。
【発明の詳細な説明】
【技術分野】
【０００１】
本発明は、歯科用メンブレンに係り、さらに詳細には、歯肉との間の空間を最小化して、施術安定性を確保することができる歯科用メンブレンに関する。
【背景技術】
【０００２】
歯が抜けた場合、これまでは、義歯を入れたり、あるいは周辺の歯を柱にし、抜けた部分を金属などで被せるブリッジ施術を行った。しかし、かような施術過程は、義歯やブリッジ施術された人工歯が食べ物をかむ力が弱く、周辺の歯に悪影響を及ぼすというような多くの問題点があった。このため、発展した歯科医療の一施術として、インプラント施術が登場することになった。かようなインプラント施術は、歯槽骨に人工的な歯根を形成し、これを利用して、実際の歯に類似して製作された最終補綴物である人工歯を結合し、患者が実際の歯を使用する効果を得ることになる。
【０００３】
前記インプラント施術過程は、歯が抜けた歯槽骨に、フィクスチャ（fixture）を埋植するために、ドリルのような工具を利用して、埋植溝を形成し、埋植溝内部にフィクスチャが堅固に埋植されるための選択作業として、タップピングを行う。その後、前記フィクスチャを埋植溝内に埋植した後、フィクスチャへの異物浸透を防止するために、カバースクリューを締結して歯ぐきを覆って縫合し、一次手術を完了する。その後、二次手術として、３〜６ヵ月ほど経過した後、縫合された歯ぐきをさらに切開した後、フィクスチャからカバースクリューを除去し、締結されるアバットメントの種類を考慮した後、ヒーリング・アバットメントを選択して締結する。そのときのヒーリング・アバットメントは、フィクスチャにアバットメントを締結する前に、フィクスチャ上に歯ぐきをきれいに形成させるものであり、締結後２〜３週間ほどした後、アバットメントを施術するのに適する歯ぐきが生成された後には、ヒーリング・アバットメントを除去した後、アバットメントを結合し、そこに人工歯の型取りを行い、アバットメント上側に自然歯の形状を有する最終補綴物を結合し、インプラント施術を完了する。
【０００４】
かような一般的なインプラント施術において、歯槽骨の一部が欠損して残存する歯槽骨だけでは、フィクスチャを十分に支持し難い場合には、欠損した部分に骨移植材（bone graft）を充填した後、その骨移植材をして、新たな歯槽骨として機能を行わせる施術を追加することになる。すなわち、欠損したほど不足した歯槽骨を作る施術を施行するがに、それを骨誘導再生術（ＧＢＲ：guided bone regeneration）という。骨誘導再生術を施術するためには、いったんフィクスチャを歯槽骨に挿入し、欠損した部位に人造骨または自家骨のような骨移植材を充填した後、充填された骨移植材をして、必要な形態を維持させるために、歯科用メンブレンを覆う。その後、所定のカバー部材を利用して、前記歯科用メンブレンをして、必要な位置に固定させる。
【０００５】
かような従来の技術としては、米国登録特許第６，１７１，１０６号の「歯インプラント用カバースクリュー（COVER SCREW FOR DENTAL IMPLANT）」に開示されており、図１にその代表構成が図示されている。従来の技術によれば、図１に図示されているように、歯槽骨Ｂ（bone）に植立されたフィクスチャ１のネジ山孔１ａに、主本体３の雄ネジ３ａが螺合されており、実装面３ｂ上に、歯槽骨Ｂの上部一部を覆うように、メンブレン５が実装されている。固定スクリュー４の雄ネジ４ｃは、主本体３の雌ネジ３ｃに螺合され、その間にメンブレン５が挿入固定されている。一方、メンブレン５の上には、歯肉Ｇ（gingiva）が覆うように配置されており、歯槽骨再生過程において、外部の異物あるいは汚染源が内部に侵透することを防止する。
【０００６】
かような従来技術による歯科用メンブレンは、次のような問題点がある。
【０００７】
まず、従来技術による歯科用メンブレンは、その上側に固定スクリュー４が配置されているが、前記固定スクリューにより、メンブレンの上側に所定の空スペースＳが形成される。その空スペースは、固定スクリューの高さと対応する大きさを有する。例えば、固定スクリューが厚い場合には、その空スペースが広く形成され、固定スクリューが薄い場合には、空スペースが小さく形成される。そのように空スペースが発生する場合には、その内部に、所望しない異物または不純物が充填されるおそれが大きくなり、それにより、歯肉内部が汚染される場合が発生することになる。かような歯肉内部の汚染は、骨結合を妨害し、骨再生時間を延長させたり、あるいははなはだしければ、骨崩壊を引き起こしたりすることもあるというような問題点がある。
【０００８】
また、従来技術による歯科用メンブレンは、移植された歯の周辺に形成され、アーチ型に凸状に盛り上がった歯槽骨突出部の形成が容易ではない。一般的に、歯槽骨突出部は、歯の周辺に凸状に盛り上がった形状を有するものであり、一般的な歯には、一般的に存在するのである。かような歯槽骨突出部の上側には、歯槽骨突出部と類似した形状の歯肉が存在するが、人工歯周辺に、立体的に形成される歯肉は、見る者をして審美感を抱かせる。一方、歯槽骨突出部は、凸状に盛り上がる形状を有しているが、既存のメンブレンは、単純な平面形状または曲面形状を有しているために、歯槽骨突出部を具現し難いという問題点がある。
【０００９】
一方、非吸水性素材であるチタンは、他の素材に比べ、骨欠損が発生した部位の空間形成（space making）、すなわち、垂直、水平に骨増大は容易であった。しかし、前歯部のように審美性が要求される部位では、単に骨増大だけではなく、骨増大の形状も重要視される。すなわち、前歯部の審美のためには、歯肉のパピラ（papilla；「骨誘導」ともいい、歯と歯の間、または歯の周辺に形成された凸状に突出した部分）の形成が必要となるが、既存のメンブレンを利用する場合、施術者が現場で行うベンディング及びトリミングだけでは、パピラ形状を具現するには困難が伴った。
【００１０】
言い換えれば、満足すべき骨増大効果を得るとしても、パピラ形状を具現するためには、歯槽骨を掻き出したり、あるいは削ったりするような追加の過程が必要であり、かような施術過程は、具現し難いばかりではなく、患者及び施術者に、時間的、費用的な不都合をもたらしていた。
【発明の概要】
【発明が解決しようとする課題】
【００１１】
本発明は、前述の問題を解決するために創出されたものであり、さらに詳細には、カバー部材と歯肉の間に発生する空スペースを最小化することにより、歯槽骨再生を容易にすることを目的とする。すなわち、空スペースに骨移植材を入れ、歯槽骨が形成されることをいう。
【００１２】
また、本発明は、アーチ型の歯槽骨突出部を容易に形成させることにより、施術の利便性を極大化することを他の目的とする。
【００１３】
また、本発明は、前述の問題点を解決するために創出されたものであり、さらに詳細には、歯槽骨再生がなされる過程で、パピラを同時に形成する歯科用メンブレンに係わるものである。
【００１４】
特に、施術者が現場で、メンブレンのベンディング及びトリミング、または歯槽骨を掻き出したり、あるいは削ったりするような追加の過程なしに、容易にパピラ形状を形成させる歯科用メンブレンに係わるものである。
【課題を解決するための手段】
【００１５】
前述の目的を果たすための本発明の歯科用メンブレンは、歯槽骨の欠損部位に配置され、歯槽骨が再生される空間を形成させたり、あるいは骨移植材を覆い包んだりする歯科用メンブレンであって、前記歯槽骨に挿入固定される挿入物と、前記挿入物に結合されるカバー部材とによって位置固定される歯科用メンブレンにおいて、歯槽骨欠損部位の上面を覆い包む上側部と、前記上側部から下側に折り曲げられ、歯槽骨欠損部位の側面を覆い包む側面折曲げ部と、を含んでなるが、前記上側部は、前記挿入物と、前記カバー部材とに結合されて位置固定される結合部分；及び前記結合部分から上側に延長突出する突出部分；を含む。
【００１６】
前記歯科用メンブレンで、前記結合部分は、中央に貫通ホールが形成されたリング形状をなすことができる。
【００１７】
前記歯科用メンブレンで、前記突出部分は、カバー部材の側面の少なくとも一部を覆い包むことができる。
【００１８】
前記歯科用メンブレンで、前記突出部分は、前記カバー部材の外形と対応する形状を有することができる。
【００１９】
前記歯科用メンブレンで、前記突出部分は、前記カバー部材の側面と密着接触される。
【００２０】
前記歯科用メンブレンで、前記突出部分は、前記カバー部材の側面から離隔される。
【００２１】
前記歯科用メンブレンで、前記突出部分の最上端は、カバー部材と同じ位置に配置されもする。
【００２２】
前記歯科用メンブレンで、前記突出部分は、結合部分から、０．１ｍｍ〜５ｍｍ範囲に突出されもする。
【００２３】
前記歯科用メンブレンで、前記突出部分は、円筒状になりもする。
【００２４】
前記歯科用メンブレンで、前記突出部分には、少なくとも１以上の孔が形成されもする。
【００２５】
前記歯科用メンブレンで、前記突出部分は、前記結合部分と連結されて上側に延長される第１延長部と、前記延長部から水平方向に延長される第２延長部と、を含んでもよい。
【００２６】
前記歯科用メンブレンで、前記側面折曲げ部は、上側部の両側に、１対が配置されもする。
【００２７】
前述の目的を達成するための本発明の歯科用メンブレンは、歯槽骨の欠損部位に配置され、歯槽骨が再生される空間を形成させたり、あるいは骨移植材を覆い包んだりする歯科用メンブレンであって、前記歯槽骨に挿入固定される挿入物と、前記挿入物に結合されるカバー部材とによって位置固定される歯科用メンブレンにおいて、前記挿入物と接触して位置固定される結合部分と、前記結合部分から上側に延長突出する突出部分とからなり、欠損部位の上面を覆い包む上側部；及び前記上側部から水平方向に延長される側面延長部；を含む。
【００２８】
前記歯科用メンブレンで、前記結合部分は、中央に貫通ホールが形成されたリング形状をなすことができる。
【００２９】
前記歯科用メンブレンで、前記突出部分は、カバー部材の側面の少なくとも一部を覆い包むことができる。
【００３０】
前記歯科用メンブレンで、前記突出部分は、前記カバー部材の外形と対応する形状を有することができる。
【００３１】
前記歯科用メンブレンで、前記突出部分は、前記カバー部材の側面と密着接触されもする。
【００３２】
前記歯科用メンブレンで、前記突出部分は、前記カバー部材の側面から離隔されることがある。
【００３３】
前記歯科用メンブレンで、前記突出部分の最上端は、カバー部材と同じ位置に配置されもする。
【００３４】
前記歯科用メンブレンで、前記突出部分は、結合部分から、０．１ｍｍ〜５ｍｍ範囲に突出されもする。
【００３５】
前記歯科用メンブレンで、前記突出部分には、少なくとも１以上の孔が形成されもする。
【００３６】
前記歯科用メンブレンで、前記突出部分は、前記結合部分と連結されて上側に延長される第１延長部と、前記延長部から水平方向に延長される第２延長部と、を含んでもよい。
【００３７】
前記歯科用メンブレンで、前記側面延長部は、上側部の両側に、１対が配置されもする。
【００３８】
前記歯科用メンブレンで、前記側面延長部は、上側部から下側に折り曲げられる。
【００３９】
前述の目的を達成するための本発明の歯科用メンブレンは、歯槽骨の欠損部位に配置され、歯槽骨が再生される空間を形成させたり、あるいは骨移植材を覆い包んだりする歯科用メンブレンであって、前記歯槽骨に挿入固定されるインプラント用挿入物によって位置固定される歯科用メンブレンにおいて、骨移植材が充填された歯槽骨欠損部位の上面を覆い包む上側部と、前記上側部から下側に折り曲げられて骨移植材が充填された歯槽骨欠損部位の側面を覆い包む側面折曲げ部と、を含んでなるが、前記上側部は、インプラント用挿入物が挿入される部分と対応する部分に配置され、前記インプラント用挿入物が結合される中央ホールが形成されている中央部分；及び前記中央部分の少なくとも一部を取り囲むように配置され、前記中央部分から上側に突出し、再生される歯槽骨に凸状に上向き突出したパピラが形成されるように誘導するパピラ形成部分；を含む。
【００４０】
前記歯科用メンブレンで、前記パピラ形成部分は、中央部分を取り囲むようにリング状に配置されもする。
【００４１】
前記歯科用メンブレンで、前記パピラ形成部分は、舌側、唇側または隣接した歯側のうちいずれか１部分に局所的に突設されもする。
【００４２】
前記歯科用メンブレンで、前記中央部分から前記パピラ形成部分の最上端までの垂直距離は、０．１〜３ｍｍでもある。
【００４３】
前記歯科用メンブレンで、前記パピラ形成部分は、前記中央ホールから所定距離離隔されている。
【００４４】
前記歯科用メンブレンで、前記上側部には、前記側面折曲げ部の延長方向と反対方向に延長され、下側に折り曲げられる上側がさらに含まれてもよい。
【００４５】
前記歯科用メンブレンで、前記上側部には、両側から延長されて下側に折り曲げられる上側ウィング部がさらに含まれてもよい。
【００４６】
前記歯科用メンブレンで、前記側面折曲げ部には、両側から延長されて内側に折り曲げられた側面ウィング部がさらに含まれてもよい。
【００４７】
前記歯科用メンブレンで、前記側面ウィング部には、多数の第５微細孔が形成されもする。
【００４８】
前記歯科用メンブレンで、前記側面折曲げ部の下端には、下側に延長されて内側に折り曲げられる側面延長部がさらに含まれてもよい。
【００４９】
前述の目的を達成するための本発明の歯科用メンブレンは、歯槽骨の欠損部位に配置され、歯槽骨が再生される空間を形成させたり、あるいは骨移植材を覆い包んだりする歯科用メンブレンであって、エッジに配置される複数の固定用ネジによって位置固定される歯科用メンブレンにおいて、骨移植材が充填された歯槽骨欠損部位の上面を覆い包む上側部と、前記上側部から下側に折り曲げられて骨移植材が充填された歯槽骨欠損部位の側面を覆い包む側面折曲げ部と、を含んでなるが、前記上側部は、多数の微細孔が形成される中央部分；及び前記中央部分の少なくとも一部を取り囲むように配置され、前記中央部分から上側に突出し、再生される歯槽骨に凸状に上向き突出したパピラが形成されるように誘導するパピラ形成部分；を含んでもよい。
【００５０】
前記歯科用メンブレンで、前記パピラ形成部分は、中央部分を取り囲むようにリング状に配置されもする。
【００５１】
前記歯科用メンブレンで、前記パピラ形成部分は、舌側、唇側または隣接した歯側のうちいずれか１部分に局所的に突設されもする。
【００５２】
前記歯科用メンブレンで、前記中央部分から前記パピラ形成部分の最上端までの垂直距離は、０．１〜３ｍｍでもある。
【００５３】
前述の目的を達成するための本発明の歯科用メンブレンは、歯槽骨の欠損部位に配置され、歯槽骨が再生される空間を形成させたり、あるいは骨移植材を覆い包んだりする歯科用メンブレンであって、前記歯槽骨に挿入固定されるインプラント用挿入物によって位置固定される歯科用メンブレンにおいて、骨移植材が充填された歯槽骨欠損部位の上面を覆い包む上側部と、前記上側部から水平方向に延長される水平延長部と、を含んでなるが、前記上側部は、インプラント用挿入物が挿入される部分と対応する部分に配置され、前記インプラント用挿入物が結合される中央ホールが形成されている中央部分；及び前記中央部分の少なくとも一部を取り囲むように配置され、前記中央部分から上側に突出し、再生される歯槽骨に凸状に上向き突出したパピラが形成されるように誘導するパピラ形成部分；を含んでもよい。
【００５４】
前記歯科用メンブレンで、前記パピラ形成部分は、中央部分を取り囲むようにリング状に配置されもする。
【００５５】
前記歯科用メンブレンで、前記パピラ形成部分は、舌側、唇側または隣接した歯側のうちいずれか１部分に局所的に突設されもする。
【００５６】
前記歯科用メンブレンで、前記中央部分から前記パピラ形成部分の最上端までの垂直距離は、０．１〜３ｍｍでもある。
【００５７】
前記歯科用メンブレンで、前記パピラ形成部分は、前記中央ホールから所定距離離隔されている。
【００５８】
前記歯科用メンブレンで、前記水平延長部は、再生されなければならない歯槽骨の形状に合うように、曲面状にフォーミングされる。
【００５９】
前述の目的を達成するための本発明の歯科用メンブレンは、歯槽骨の欠損部位に配置され、歯槽骨が再生される空間を形成させたり、あるいは骨移植材を覆い包んだりする歯科用メンブレンであって、エッジに配置される複数の固定用ネジによって位置固定される歯科用メンブレンにおいて、骨移植材が充填された歯槽骨欠損部位の上面を覆い包む上側部と、前記上側部から水平方向に延長される水平延長部と、を含んでなるが、前記上側部は、多数の微細孔が形成される中央部分；及び前記中央部分の少なくとも一部を取り囲むように配置され、前記中央部分から上側に突出し、再生される歯槽骨に凸状に上向き突出したパピラが形成されるように誘導するパピラ形成部分；を含んでもよい。
【００６０】
前記歯科用メンブレンで、前記パピラ形成部分は、中央部分を取り囲むようにリング状に配置されもする。
【００６１】
前記歯科用メンブレンで、前記パピラ形成部分は、舌側、唇側または隣接した歯側のうちいずれか１部分に局所的に突設されもする。
【００６２】
前記歯科用メンブレンで、前記中央部分から前記パピラ形成部分の最上端までの垂直距離は、０．１〜３ｍｍでもある。
【００６３】
前記歯科用メンブレンで、前記水平延長部は、再生されなければならない歯槽骨の形状に合うように、曲面状にフォーミングされる。
【発明の効果】
【００６４】
本発明による歯科用メンブレンは、突出部分がカバー部材を覆い包むように突出配置されており、その上に歯肉が覆われる場合にも、歯肉とメンブレンとの間の空スペースが最小化されるという長所がある。
【００６５】
本発明による歯科用メンブレンは、再生されなければならない歯槽骨で、パピラ形状が具現されるパピラ形成部分が設けられており、パピラ形成が容易であるという長所がある。
【００６６】
また、本発明による歯科用メンブレンは、施術者が現場でメンブレンのベンディング及びトリミングを行う必要がなく、生成された歯槽骨を掻き出したり、あるいは削り出したりする追加の過程なしに、容易にパピラ形状を形成させ、施術の利便性を増大することができるという長所がある。
【図面の簡単な説明】
【００６７】
【図１】従来技術による歯科用メンブレンが施術された様子を示す図面である。
【図２】本発明の一実施形態による歯科用メンブレンが、挿入物及びカバー部材に結合された様子を示す斜視図である。
【図３】図２の側面図である。
【図４】図３の背面図である。
【図５】図４のＶ−Ｖ断面図及び歯槽骨内に施術された様子を示す図面である。
【図６】図２の歯科用メンブレンの斜視図である。
【図７】図６の平面図である。
【図８】図６の側面図である。
【図９】本発明の他の実施形態による歯科用メンブレンが、挿入物及びカバー部材に結合された様子を示す斜視図である。
【図１０】図９の歯科用メンブレンの側面図である。
【図１１】本発明の他の実施形態による歯科用メンブレンを図示した図面である。
【図１２】本発明の他の実施形態による歯科用メンブレンを平面的に示す図面である。
【図１３】施術条件に合うように、図１２の歯科用メンブレンを三次元的にフォーミングした様子を示す斜視図である。
【図１４】図１３の平面図である。
【図１５】図１４の側面図である。
【図１６】図１３の歯科用メンブレンが歯槽骨再生のために設置された一例を示す図面である。
【図１７】図１３の歯科用メンブレンが歯槽骨再生のために設置された他の例を示す図面である。
【図１８】本発明の他の実施形態による歯科用メンブレンを平面的に示す図面である。
【図１９】図１８の歯科用メンブレンを三次元的にフォーミングした様子を示す図面である。
【図２０】図１９の側面図である。
【図２１】本発明の他の実施形態による歯科用メンブレンを平面的に示す図面である。
【図２２】図２１の歯科用メンブレンを三次元的にフォーミングした様子を示す図面である。
【図２３】図２２の側面図である。
【図２４】本発明の他の実施形態による歯科用メンブレンを平面的に示す図面である。
【図２５】図２４の歯科用メンブレンを三次元的にフォーミングした様子を示す図面である。
【図２６】図２５の側面図である。
【図２７】本発明の他の実施形態による歯科用メンブレンを平面的に示す図面である。
【図２８】図２７の歯科用メンブレンを三次元的にフォーミングした様子を示す図面である。
【図２９】図２８の側面図である。
【図３０】本発明の他の実施形態による歯科用メンブレンの斜視図である。
【図３１】図３０の平面図である。
【図３２】本発明の他の実施形態による歯科用メンブレンの斜視図である。
【図３３】図３２の平面図である。
【図３４】本発明の他の実施形態による歯科用メンブレンの斜視図である。
【図３５】図３４を他の方向から見た斜視図である。
【図３６】本発明の他の実施形態による歯科用メンブレンの斜視図である。
【図３７】本発明の他の実施形態による歯科用メンブレンの斜視図である。
【発明を実施するための形態】
【００６８】
以下、本発明の一実施形態による歯科用メンブレンについて、添付された図面を参照しながら詳細に説明する。
【００６９】
本発明の一実施形態による歯科用メンブレン１００は、歯槽骨Ｂの欠損部位に配置され、歯槽骨が再生される空間を形成させたり、あるいは骨移植材ＢＧ（bone graft）を覆い包んだりするものであり、覆い包まれる骨移植材ＢＧが外部に離脱することを防止する遮蔽膜である。かような歯科用メンブレン１００は、歯槽骨Ｂに挿入固定される挿入物１４０、及び前記挿入物１４０に結合されるカバー部材１５０によって位置固定される。具体的には、前記歯科用メンブレン１００は、人体内部に挿入されるものであり、人体に無害な素材が使用されることが望ましい。また、施術現場で、歯槽骨Ｂの形状に合うように変形が可能になるように、弾性がある程度付与されたことが望ましい。一方、前記歯科用メンブレン１００には、多数の孔Ｈ（hole）が形成されており、骨移植過程で、メンブレン１００を介して、血液などが疎通することができ、それによって、骨移植を容易にする。
【００７０】
かような歯科用メンブレン１００は、平面状に構成され、現場で施術者が必要によって曲げて使用することも可能であるが、望ましくは、あらかじめ製造所で、歯槽骨Ｂの形状に合うように、三次元フォーミングされて施術現場に提供されることが望ましい。
【００７１】
かような歯科用メンブレン１００は、上側部１１０と、側面折曲げ部１２０とを含んで構成される。
【００７２】
前記上側部１１０は、歯槽骨Ｂの欠損部位上面を覆い包むものである。具体的には、欠損した部位で、骨移植材ＢＧが充填された部分を覆うが、その上側部分を覆い包むものである。
【００７３】
かような上側部１１０は、結合部分１１１と、突出部分１１２とを含んで構成される。
【００７４】
前記結合部分１１１は、挿入物１４０と、前記カバー部材１５０とによって結合されて位置固定されるものであり、その中央には、挿入物１４０またはカバー部材１５０が挿入されて貫通される貫通ホール１１１ａが形成され、全体的に平らな平板状のリング形状をなす。かような結合部分１１１は、その上面が、カバー部材１５０の下面に接触しており、その下面が挿入物１４０の上面と接触する。
【００７５】
前記突出部分１１２は、前記結合部分１１１から上側に延長突出するものである。具体的には、前記突出部分１１２は、カバー部材１５０の少なくとも一部を覆い包むように構成され、カバー部材１５０の外形と対応する形状を有することができる。例えば、本実施形態では、前記カバー部材１５０が円板の形態によって構成されているので、前記突出部分１１２も、円筒状でもある。そのとき、前記突出部分１１２は、前記カバー部材１５０の側面と密着接触する。そのように、カバー部材１５０の側面と密着接触する場合には、空スペースが最小化され、汚染源充填を防止することができる。ただし、それに限定されるものではなく、互いに一定間隔ほど離隔されることも可能である。一定間隔離隔される場合、カバー部材を除去するための除去ツールが結合される空間が設けられる。
【００７６】
一方、前記突出部分１１２の最上端は、前記カバー部材１５０の上面より低いか、あるいはそれと同じ位置に配置されたことが望ましく、望ましくは、カバー部材１５０の上面と同一高を構成することが望ましい。そのように、カバー部材１５０と同一高を形成する場合には、メンブレン１００と歯肉Ｇ（gingiva）との間の空スペースを最小化することができるという長所がある。
【００７７】
具体的には、前記突出部分１１２は、結合部分１１１から０．１ｍｍ〜５ｍｍ範囲に突出していることが望ましい。突出部分１１２の高さが０．１ｍｍより低ければ、空スペースが大きくなって望ましくなく、５ｍｍより高ければ、カバー部材１５０より前記突出部分１１２がさらに上側に突出することになり、望ましくない。
【００７８】
かような突出部分１１２は、結合部分１１１と連結され、円筒状になる第１延長部１１２ａと、前記第１延長部１１２ａから水平方向に延長される第２延長部１１２ｂとを含む。そのとき、第２延長部１１２ｂは、側面折曲げ部１２０と連結される。
【００７９】
前記突出部分１１２には、少なくとも１以上の孔Ｈが形成される。
【００８０】
前記側面折曲げ部１２０は、前記上側部１１０から下側に折り曲げられ、歯槽骨Ｂ欠損部位の側面を覆い包むものであり、多数の孔Ｈが形成されている。かような側面折曲げ部１２０は、上側部１１０から緩慢なラウンド状に折り曲げられ、その下端は、内側にすぼまるようになり、内部の骨移植材ＢＧの外部流出を最大限防止する。かような側面折曲げ部１２０は、前記上側部１１０の両側に、１対が配置される。ただし、それに限定されるものではなく、一側にのみ形成されることも可能である。
【００８１】
一方、図面番号１４０，１５０は、それぞれ挿入物、カバー部材である。前記挿入物１４０は、歯槽骨Ｂ内に挿入されて位置固定されるものであり、フィクスチャ１４１と、前記フィクスチャ１４１に結合されるアバットメント１４２と、を含んでもよい。前記フィクスチャ１４１は、全体的に円柱状によってなるが、外周面には、歯槽骨Ｂとの結合のためのネジ山１４１ａが形成され、上端から下側に向けてブラインドホール１４１ｂが形成される。
【００８２】
前記アバットメント１４２は、前記フィクスチャ１４１のブラインドホール１４１ｂに挿入され、前記フィクスチャ１４１から突出し、その突出高ほど骨移植材が充填される空間を追加確保することができる。かようなアバットメント１４２は、その上端に、上側方向に突出した結合用突起１４２ａが設けられている。前記結合用突起１４２ａには、雄ネジ山が形成されている。
【００８３】
前記カバー部材１５０は、前記アバットメント１４２に結合されるものであり、具体的には、下面に、前記結合用突起１４２ａに結合される溝１５１が形成される。前記カバー部材１５０とアバットメント１４２との間には、本実施形態による歯科用メンブレン１００が固定される。
【００８４】
かような本実施形態による歯科用メンブレン１００は、次のような作用効果を有する。
【００８５】
まず、本実施形態による歯科用メンブレン１００が歯槽骨Ｂに施術された様子を図示した図５を参照すれば、歯槽骨Ｂの欠損部位に結合された挿入物１４０と、カバー部材１５０とによって位置固定された歯科用メンブレン１００は、骨移植材を覆うように配置される。そのとき、前記歯科用メンブレン１００は、上側部１１０の結合部分１１１が、前記挿入物１４０とカバー部材１５０とによって噛み合わさって結合されており、突出部分１１２は、前記カバー部材１５０を覆い包むように配置されている。そのように、カバー部材１５０を覆い包むように突出配置されていれば、その上に歯肉Ｇが覆われる場合にも、歯肉Ｇとメンブレン１００との間の空スペースが最小化される。特に、突出部分１１２の最上端と、カバー部材１５０の上面とが同一高をなしているために、空スペースが最小化され、異物または汚染源が空スペースに充填される心配が少なくなる。
【００８６】
また、突出部分１１２によって新しく生成された空間には、骨移植材ＢＧが充填されることによって生成される歯槽骨Ｂの量が多くなるという長所がある。そのように生成される歯槽骨Ｂの量が多くなることにより、フィクスチャ１４１は、さらに堅固に歯槽骨Ｂ内で位置固定されるという長所がある。また、突出した部分のうち一部を削除することにより、アーチ型の歯槽骨突出部を容易に形成することができる。例えば、所望する歯槽骨突出部を形成するために、さらなる骨再生を行う必要なしに、突出部分１１２によって形成された空間に設けられた歯槽骨Ｂを必要な形態に削除することにより、簡便に歯槽骨突出部を得ることができる。
【００８７】
かような本発明の一実施形態による歯科用メンブレン１００は、次のような変が可能である。
【００８８】
前述の実施形態では、上側部１１０の周辺に、側面折曲げ部１２０が下側に折り曲げられているように例示したが、それに限定されるものではなく、図９及び図１０に図示されているように、側面延長部１２０’が、上側部１１０’の周辺に配置されることも可能である。かような側面延長部１２０’は、上側部１１０’から水平方向に延長されるものであり、上側部１１０’の周辺に１対が配置され、少なくとも１以上の孔が形成されている。
【００８９】
かような側面延長部１２０’をそれ自体で歯槽骨に使用することもできるが、必要により、施術現場で歯槽骨の形状に合うように、側面折曲げ部の形状に折り曲げて使用することができる。一方、図９または図１０で、フィクスチャ１４１’とアバットメント１４２’とからなる挿入物、カバー部材１５０’、第１延長部１１２ａ’、第２延長部１１２ｂ’は、前述の実施形態と同一形状を有しているので、具体的な説明は省略する。
【００９０】
また、前述の実施形態では、挿入物１４０が、フィクスチャ１４１と、前記フィクスチャ１４１に結合されるアバットメント１４２とから構成されると説明したが、それに限定されるものではない。例えば、図１１に図示されているように、挿入物１４０”が別途の分離されたアバットメントなしに、アバットメント一体型フィクスチャによってのみなることも可能である。そのときカ、バー部材１５０”は、前記挿入物１４０”であるアバットメント一体型フィクスチャに結合され、歯科用メンブレン１００”を位置固定する。それ以外の歯科用メンブレン１００”の上側部１１０”、及び側面折曲げ部１２０”は、前述の実施形態と同一形状を有しているので、具体的な説明を省略する。
【００９１】
また、挿入物は、フィクスチャだけでなることも可能である。例えば、挿入物が図５に開示されたフィクスチャだけからなり、カバー部材は、前記フィクスチャに直接結合されることも可能である。
【００９２】
従って、全体的に見れば、挿入物は、フィクスチャとアバットメントとの結合形態（図５の形態）、フィクスチャ単一形態（図５において、アバットメントのみない形態）、及びアバットメント一体型フィクスチャ（図１１の形態）を含む概念であるということができる。
【００９３】
一方、前述の実施形態では、突出部分がカバー部材と対応する形状を有すると例示したが、それに限定されるものではなく、結合部分から上側に行くほど、突出部分がカバー部材から遠くなること（突出部分とカバー部材との間隔が大きくなること）も可能である。例えば、カバー部材が円板形態によってなる場合、突き出部材が、逆さま円錐台の形態を有することが可能である。かような形状を有する場合には、歯槽骨突出部を容易に形成することができる。すなわち、歯槽骨で、歯槽骨突出部を形成するために、歯槽骨を削除しなければならない量を最小化することができる。
【００９４】
特に、突出部分である再生されなければならない歯槽骨突出部と対応する形状を有するように設計することも可能である。そのように、再生されなければならない歯槽骨突出部と対応する形状を有する場合には、歯槽骨を削除することなしに、歯槽骨突出部を形成することができる。
【００９５】
また、前述の実施形態では、突出部分が円筒状に構成されるものを例示したが、それ以外に、歯槽骨の舌側、隣接した歯側、唇側のうち少なくともいずれか１ヵ所に配置されることも可能である。
【００９６】
また、前述の実施形態では、歯科用メンブレンが、挿入物とカバー部材との間に配置されるものを例示したが、それに限定されるものではなく、挿入物に円周方向に沿って形成された溝が設けられ、前記溝に、前記歯科用メンブレンが挿入されて結合されているものも考慮することができる。そのとき、前記突出部分は、メンブレンから突出した挿入物の上側部と対応する形状を有することができる。
【００９７】
一方、パピラ（papilla）が形成されるように誘導するパピラ形成部分を有する歯科用メンブレンに係わる実施形態は、以下で説明する。
【００９８】
本発明の一実施形態による歯科用メンブレン１０は、歯槽骨８０の欠損部位に充填された骨移植材８２を覆い包み、歯槽骨８０の再生を誘導するものである。具体的には、歯科用メンブレン１０は、欠損した歯槽骨８０の開かれた部位に充填された自家骨または人造骨のような骨移植材８２を覆い、前記骨移植材８２が、骨再生過程で外部に離脱することを防止し、内部に配置された骨移植材の動揺度をなくし、安定して歯槽骨８０の再生を誘導するためのものである。
【００９９】
かような歯科用メンブレン１０の二次元平面図は、図１２に図示されている通りであり、その形状は、骨欠損形態をあらかじめ分類し、それに合うようにトリミングされている様子を図示したものである。かようなあらかじめトリミングされている二次元形態の骨再生用メンブレンを、所定のベンディング器具によって三次元的にベンディングした様子は、図１３ないし図１５に図示されている通りである。
【０１００】
そのように、本実施形態による歯科用メンブレン１０は、施術直前に、施術者が患者の形状に合うように、即座にトリミング及びベンディングを行うものではなく、あらかじめ三次元的に、所定のベンディング器を利用してト、リミング及びベンディングを行って製作されるものであり、再生されなければならない歯槽骨８０の形状に合うように、歯槽骨８０の方向に、立体的な曲面状にあらかじめフォーミングされていることを特徴とする。
【０１０１】
前記歯科用メンブレン１０は、上側部（２０、側面折曲げ部（３０、上側延長部（４０、上側ウィング部（５０、側面ウィング部６０、側面延長部７０を含んで構成される。
前記上側部２０は、歯槽骨８０の欠損部位として、骨移植材８２が詰められている部位の上面を覆うものであり、中央部分２１とパピラ形成部分２２とを含む。
【０１０２】
そのとき、前記中央部分２１は、インプラント用挿入物が挿入される部分と対応する部分に配置され、前記インプラント用挿入物が結合される部分である。かような中央部分２１には、インプラント用挿入物が通過して挿入される中央ホール２１１が形成されている。
【０１０３】
前記パピラ形成部分２２は、中央部分２１の少なくとも一部を取り囲むように配置され、前記中央部分２１から上側に突出して再生される歯槽骨８０に、凸状に上向き突出するパピラが形成されるように誘導するものである。かようなパピラ形成部分２２の断面は、ほぼアーチ形状によってなる。前記パピラ形成部分２２は、中央部分２１を取り囲み、全体的にリング形状を有するように、中央部分２１に隣接するように配置される。
【０１０４】
そのとき、中央部分２１から、前記パピラ形成部分２２の最上端までの距離ｈは、０．１〜３ｍｍほどであることが望ましい。パピラ形成部分２２が前記範囲より大きい場合には、生成される歯槽骨８０のパピラ部分が過度に高く突出して望ましくなく、パピラ形成部分２２が前記範囲より低い場合には、突出する部分の高さが低く、審美的に望ましくないだけでなく、再生後に、容易に崩壊される心配があり、望ましくない。
【０１０５】
また、前記中央ホール２１１から、前記パピラ形成部分２２は、所定距離離隔されている。具体的には、前記中央ホール２１１と、パピラ形成部分２２との最短距離は、１ｍｍ〜１０ｍｍであることが望ましい。そのとき、最短距離とは、中央ホールにおいて、パピラ形成部分と最も隣接した部分から、前記突出するパピラ形成部分の開始部分までの距離をいう。そのように、一定距離ほど離隔されていることにより、パピラ形成が確実になされるという長所がある。
【０１０６】
前記上側部２０には、多数の第１微細孔２３が形成されている。かような第１微細孔２３は、中央ホール２１１に比べ、若干小さいことが望ましく、具体的には、０．１〜２．０ｍｍの範囲を有したことが望ましい。かような第１微細孔２３は、骨欠損部位を充填する骨移植材８２と、周辺骨組織との間の血液生理反応を活性化させるものであり、骨移植材８２が周辺骨組織と、堅固であって安定して骨融合がなされるようにするものである。かような第１微細孔２３が前記範囲を有することにより、血液の疎通が有利になる。
【０１０７】
前記側面折曲げ部３０は、前記上側部２０から下側に折り曲げられ、骨移植材８２が充填された歯槽骨８０の欠損部位の側面を覆い包むものである。かような側面折曲げ部３０は、“〕”形状を有するように、前記上側部２０から折り曲げられて構成され、多数の第２微細孔３３が形成されている。
【０１０８】
かような側面折曲げ部３０は、前記上側部２０から遠くなる方向に折り曲げられる第１折曲げ部３１と、前記上側部２０に近付く方向に折り曲げられる第２折曲げ部３２とからなる。そのとき、第１折曲げ部３１の第２微細孔３３は、０．８〜２．０ｍｍであり、前記第２折曲げ部３２の第２微細孔３３は、０．１〜０．７ｍｍの直径を有することができる。そのとき、第１折曲げ部３１の最下端の第１孔は、三日月または半月の形態に整列されている。すなわち、第１孔の最下端が凹状ラインに沿って整列されている。そのように、凹状の皿形態によってなる理由は、ベンディングラインを自然に形成することにより、ベンディング時に、一部区間で局所的な突出がないようにするためである。また、前記第２折曲げ部３２の孔サイズが小さい理由は、ベンディング過程で、柔軟性を極大化させ、曲率半径が大きい場合にも、柔軟にベンディングされて曲げられるようにするためである。
【０１０９】
前記上側延長部４０は、前記上側部２０から延長され、骨移植材８２を覆い包むものであり、具体的には、前記側面折曲げ部３０の延長方向と反対方向に延長され、下側に折り曲げられるものである。前記上側延長部４０には、多数の第３微細孔４１が形成されており、その第３微細孔４１を介して血液が疎通することにより、骨融合が増進される。かような上側延長部４０は、再生されなければならない歯槽骨８０の最終形状に合うように、三次元的にあらかじめフォーミングされている。
【０１１０】
前記上側ウィング部５０は、前記上側部２０の両側から延長されて突出するものであり、下側に折り曲げられて構成される。具体的には、上側ウィング部５０は、骨移植材８２を覆い包むように下側に折り曲げられている。前記上側ウィング部５０は、前記上側の側面端のうち一部から突設され、それによって、ベンディングが容易になる。具体的には、前記側面結合部は、歯槽骨８０上部の内側（medial）または外側（distal）を覆うように設けられるものである。かような上側ウィング部５０には、多数の第４微細孔５１が形成されている。そのように、多くの微細孔が形成されることにより、全体的な柔軟性が増大され、ベンディングが容易になるという長所がある。
【０１１１】
前記側面ウィング部６０は、側面折曲げ部３０の両側から延長され、内側に折り曲げられたものである。内部に骨移植材８２が設けられており、前記側面折曲げ部３０の両側エッジから突設されるが、骨移植材８２に向けて折り曲げられて曲がっている。かような側面ウィング部６０は、骨欠損部位の口腔（buccal）側を覆い包むものであり、上端から下端に行くほど、側面折曲げ部３０からの距離が徐々に長くなっていて、中間以降からは、距離が一定して維持される形状を有するようになる。かような側面ウィング部６０は、側面折曲げ部３０の側面全体にわたって、単一の形態に形成されおり、骨融合後、骨欠損部位から抜き取る場合、容易に抜けるように形成される。
【０１１２】
かような側面ウィング部６０には、多数の第５微細孔６１が形成されているが、かような第５微細孔６１の直径は、第２微細孔３３の直径より小さいことが望ましい。例えば、第５微細孔６１の直径は、０．１〜０．７ｍｍでもある。また、第５微細孔６１は、第２微細孔３３より詰まって配置されており、同一面積対比にして、さらに多数の孔が側面ウィング部６０に形成される。すなわち、側面ウィング部６０の単位面積当たり総面積は、側面折曲げ部３０の第２孔の単位面積当たり総面積より大きいことが望ましい。そのように、第５微細孔６１が小サイズに詰まって配置されていることにより、全体的な側面ウィング部６０の柔軟性が増大し、追って歯槽骨８０から抜き取る過程で、周辺に損傷を加えずに、容易に抜き取られるのである。また、側面ウィング部６０が柔軟であることにより、ベンディングが容易に行われる。
【０１１３】
前記側面延長部７０は、前記側面折曲げ部３０の下端から延長され、内側に折り曲げられるものである。前記下端折曲げ部には、多数の第６微細孔７１が形成されている。そのとき、前記第６微細孔７１の直径は、第２微細孔３３より小さく、それによって、十分な柔軟性を確保し、追って骨融合後に、歯槽骨８０から容易に抜ける。また、トリミング過程で、表面が鋭くなることを最小化し、周辺歯肉の損傷を最小化することができる。
【０１１４】
一方、歯科用メンブレン１０の表面には、ＴｉＮコーティング層またはアノダイジングコーティング層が形成される。かようなコーティング層が形成される場合には、全体的にメンブレンが黒く見えることにより、審美感を呼び起こすことができると言う長所がある。
【０１１５】
かような本発明の一実施形態による歯科用メンブレン１０は、次のような作用効果を有する。
【０１１６】
まず、歯科用メンブレン１０を付着させる前に、フィクスチャ９１とアバットメント９２とからなるインプラント挿入物９０を歯槽骨８０内に挿入し、骨欠損部位に、骨移植材８２を充填する。その後、インプラント挿入物９０に対して、あらかじめ三次元形状にフォーミングされて形成された歯科用メンブレン１０を、前記インプラント挿入物に結合する。具体的には、上側部２０の中央ホール２１１に、前記インプラント挿入物を挿入して結合させる。そのように、歯科用メンブレン１０が、インプラント挿入物に結合した後、別途のメンブレン固定用覆いを利用して、前記歯科用メンブレン１０が、骨移植材８２の上側に位置固定される。その後、前記歯科用メンブレン１０の上に、歯肉８１を覆った後、前記歯肉８１を縫合する。縫合後の様子は、図１６に図示されている通りである。その後、所定時間が経過した後、歯科用メンブレン１０の内部で、骨移植材８２が骨融合された後には、縫合された歯肉８１を開き、前記歯科用メンブレン１０を前記骨欠損部位から除去する。
【０１１７】
一方、前記歯科用メンブレン１０には、パピラ形成部分２２が形成されており、生される歯槽骨８０には、上側に凸状に突出した部分が設けられる。そのとき、その上に覆われる歯肉８１も、前記歯槽骨８０の形状に合うように凸状に上側に突出し、所望する審美感を有する。
【０１１８】
そのように、本発明の一実施形態による歯科用メンブレンは、歯槽骨形成過程で、パピラが具現されることにより施術者が不要に歯槽骨を切り取ったり、あるいは削除したりすることにより、別途にパピラを具現する必要がないという長所がある。
【０１１９】
また、本発明の歯科用メンブレンは、カスタマイズ化され、三次元的にあらかじめフォーミングされて製作されるので、施術者が施術現場で、最小限のトリミング及びベンディングを行ったり、あるいはトリミングまたはベンディングがなく、そのまま施術することが可能であり、簡便であるという長所がある。特に、歯科用メンブレンは、局部的に折れて突出した部分がないように、あらかじめカスタマイズ化された形状を有しているので、施術現場でベンディングを行う過程中、局所的に一部が突出するパッカリング現象（例えば、よれ現象及びしわ現象）を防止することができるという長所があり、インプラント挿入物の状態に締結されるとき、別途の締結スクリューが不要になる。
【０１２０】
また、部分別微細孔の大きさを異にすることにより、多く曲げなければならない部分では、柔軟性を高めるようにし、ベンディング容易性を極大化することができる。それにより、施術現場で、局所的なベンディングが必要な場合にも、現場作業性が高くなるようにした。
【０１２１】
また、側面ウィング部が柔軟性が高いように構成されることにより、ベンディングの容易性以外に、追って移植材から除去するときに容易になる。
【０１２２】
かような本発明の一実施形態による歯科用メンブレンは、次のように変形されることも可能である。
【０１２３】
まず、前述の図１６では、インプラント用移植物９０として、フィクスチャ９１とアバットメント９２とを含む構成を例示したが、それに限定されるものではなく、インプラント移植物が、図１７に図示されているように、フィクスチャ９１とアバットメント９２とが互いに一体に結合されたアバットメント一体型フィクスチャを意味することが可能である。そのとき、歯科用メンブレンの中央ホールが、前記アバットメント一体型フィクスチャの上端に結合される。一方、図示していないが、インプラント用移植物９０がフィクスチャだけからなることも可能である。
【０１２４】
また、前述の実施形態では、上側部２０、側面折曲げ部３０、上側延長部４０、上側ウィング部５０、側面ウィング部６０、側面延長部７０が設けられる歯科用メンブレンを説示したが、図１８ないし図２０に図示されているように、上側延長部４０なしに、上側部２０、側面折曲げ部３０、上側ウィング部５０、側面ウィング部６０、側面延長部７０だけによって構成された歯科用メンブレンも可能である。かような図１８ないし図２０に図示された歯科用メンブレンは、歯槽骨欠損部位が、上面と一側面とである場合に、使用可能である。
【０１２５】
また、前述の図１８ないし図２０の実施形態では、上側部２０、側面折曲げ部３０、上側ウィング部５０、側面ウィング部６０、側面延長部７０を含んだ歯科用メンブレンを図示したが、それに限定されるものではなく、図２１ないし図２３に図示されているように、上側部２０に、別途の上側ウィング部５０が設けられることなしに、上側部２０の幅を拡大させ、歯槽骨の上面を全体的に覆うように、四角形の平板によって構成することも可能である。それ以外に、側面ウィング部６０もなしに、側面折曲げ部３０だけで構成されもする。
【０１２６】
また、前述の図１８ないし図２０の実施形態では、上側部２０、側面折曲げ部３０、上側ウィング部５０、側面ウィング部６０、側面延長部７０を含んだ歯科用メンブレンを図示したが、それ以外に、図２４ないし図２６に図示されているように、上側部２０、側面折曲げ部３０、側面ウィング部６０及び側面延長部７０だけによって構成されることも可能である。そのとき、前記上側部２０のパピラ形成部分は、リング形状によってなるものではなく、唇側に向くように、局所的を突出している。かような図２４ないし図２６に図示された実施形態は、主に歯槽骨欠損部が一側面に限定された場合に使用される。
【０１２７】
また、前述の図２４ないし図２６に図示された歯槽骨歯科用メンブレンは、上側部２０、側面折曲げ部３０、側面ウィング部６０及び側面延長部７０によって構成されたものを例示したが、それに限定されるものではなく、図２７ないし図２９に図示されているように、上側部２０、側面折曲げ部３０及び側面延長部７０によって構成された歯科用メンブレンも考慮することができる。かような図２４ないし図２６に図示された実施形態も、主に歯槽骨欠損部が一側面に限定された場合に使用することができる。
【０１２８】
また、前述の図１２ないし図１５の実施形態では、上側部２０に、中央ホールが形成されたものを例示したが、それに限定されるものではなく、図３０及び図３１に開示されているように、中央ホールの形成なしに、多数の第１微細孔だけが形成されるように構成されることも可能である。すなわち、上側部２０、側面折曲げ部３０、上側延長部４０、上側ウィング部５０、側面ウィング部６０、側面延長部７０が設けられた状態で、中央ホールだけが開示されることなしに製作される。そのとき、メンブレンの固定は、エッジに配置される複数の固定用ネジによって行われる。そのとき、使用される固定用ネジは、小ネジ形態からなり、上側延長部４０の両端及び側面延長部７０の両端に配置される。
【０１２９】
また、図３２及び図３３に図示されているように、骨移植材が充填された歯槽骨欠損部位の上面を覆い包む上側部１０’と、前記上側部１０’から水平方向に延長される水平延長部３０’とを含んでなるが、前記上側部１０’は、インプラント用フィクスチャが挿入される部分と対応する部分に配置され、前記インプラント用挿入物が結合される中央ホール２１１’が形成されている中央部分２１’、及び前記中央部分２１’の少なくとも一部を取り囲むように配置され、前記中央部分２１’から上側に突出し、再生される歯槽骨に凸状に上向き突出したパピラが形成されるように誘導するパピラ形成部分２２’を含むものも可能である。すなわち、前述の形態と異なり、全体的に四角平面状に構成されるが、中央部分２１’の周辺に、パピラ形成部分２２’が設けられるように製作することが可能である。
【０１３０】
かような図３２及び図３３に開示された歯科用メンブレン１０’は、施術現場で、別途のベンディングやトリミングもなしに、歯槽骨再生に使用されることも可能であるが、必要により、所定の形状にベンディングまたはトリミングを行って使用されることも可能である。
【０１３１】
また、図３２及び図３３の実施形態と異なり、所定の形態にベンディングして製作することも可能である。すなわち、水平延長部３０’を下側に曲げ、全体的に曲面状に製作することも可能である。
【０１３２】
また、図３６に開示されているように、骨移植材が充填された歯槽骨欠損部位の上面を覆い包む上側部１０’と、前記上側部１０’から水平方向に延長される水平延長部３０’とを含んでなるが、前記上側部１０’は、多数の微細孔が形成される中央部分２１’、及び前記中央部分２１’の少なくとも一部を取り囲むように配置され、前記中央部分２１’から上側に突出し、再生される歯槽骨に凸状に上向き突出したパピラが形成されるように誘導するパピラ形成部分２２’を含むものも可能である。すなわち、図３２及び図３３の実施形態と異なり、中央ホール２１１’が別途に設けられないものも可能である。そのとき、歯科用メンブレン１０’は、エッジコーナーに配置される多数の固定用ネジによって歯槽骨に固定される。
【０１３３】
また、図３６の実施形態と異なり、図３７に開示されているように、所定の形態にベンディングして製作されることも可能である。すなわち、水平延長部３０’を下側に曲げ、全体的に曲面状に製作することも可能である。
【図１】
0005891312.tif 000002
【図２】
0005891312.tif 000003
【図３】
0005891312.tif 000004
【図４】
0005891312.tif 000005
【図５】
0005891312.tif 000006
【図６】
0005891312.tif 000007
【図７】
0005891312.tif 000008
【図８】
0005891312.tif 000009
【図９】
0005891312.tif 000010
【図１０】
0005891312.tif 000011
【図１１】
0005891312.tif 000012
【図１２】
0005891312.tif 000013
【図１３】
0005891312.tif 000014
【図１４】
0005891312.tif 000015
【図１５】
0005891312.tif 000016
【図１６】
0005891312.tif 000017
【図１７】
0005891312.tif 000018
【図１８】
0005891312.tif 000019
【図１９】
0005891312.tif 000020
【図２０】
0005891312.tif 000021
【図２１】
0005891312.tif 000022
【図２２】
0005891312.tif 000023
【図２３】
0005891312.tif 000024
【図２４】
0005891312.tif 000025
【図２５】
0005891312.tif 000026
【図２６】
0005891312.tif 000027
【図２７】
0005891312.tif 000028
【図２８】
0005891312.tif 000029
【図２９】
0005891312.tif 000030
【図３０】
0005891312.tif 000031
【図３１】
0005891312.tif 000032
【図３２】
0005891312.tif 000033
【図３３】
0005891312.tif 000034
【図３４】
0005891312.tif 000035
【図３５】
0005891312.tif 000036
【図３６】
0005891312.tif 000037
【図３７】
0005891312.tif 000038